(57)【要約】【課題】  締付用のスクリュなどが乗員から見えず、一体部品として組付けることができ、外観品質および作業効率の向上を図ることが可能な車両用インストルメントパネルへの機器の取付構造を提供することにある。【解決手段】  機器を固定する断面略Ｕ字形状のブラケット１６と、ブラケット１６の車両後方側に配置されるガーニッシュ１７とを備え、ブラケット１６の縦壁面１６ａの車両後方端部に車両幅方向へ延びる取付壁面１８を設け、取付壁面１８に挿通孔２０を設けると共に、ガーニッシュ１７の車両前方側にボス部２５を設け、取付壁面１８の挿通孔２０およびボス部２５にスクリュ１９を挿入しブラケット１６とガーニッシュ１７とを組付けて一体部品の機器部材１５として構成し、開口部３の車両幅方向両側部に車両前方へ延びる側面部４を設け、開口部３に機器部材１５を挿入配置し、車両幅方向からブラケット１６の縦壁面１６ａの前端部を側面部４の前端部４ａに締付けて固定することにより、機器部材１５をインストルメントパネル１に取付けている。【選択図】        図３
2006117175.tif 000002
【特許請求の範囲】
【請求項１】
機器を固定する断面略Ｕ字形状のブラケットと、該ブラケットの車両後方側に配置されるガーニッシュとを備え、前記ブラケットの縦壁面の車両後方端部に車両幅方向へ延びる取付壁面を設け、該取付壁面に挿通孔を設けると共に、前記ガーニッシュの車両前方側にボス部を設け、前記取付壁面の挿通孔および前記ボス部に締付部材を挿入して前記ブラケットと前記ガーニッシュとを組付けることにより一体部品の機器部材として構成する一方、インストルメントパネルの開口部の車両幅方向両側部に車両前方へ延びる側面部を設け、前記インストルメントパネルの開口部に前記機器部材を挿入配置し、車両幅方向から前記ブラケットの縦壁面の前端部を前記側面部の前端部に締付けて固定することにより、前記機器部材を前記インストルメントパネルに取付けたことを特徴とする車両用インストルメントパネルへの機器の取付構造。
【請求項２】
前記インストルメントパネルの側面部の前端部および前記ブラケットの縦壁面の前端部には、締付部材を挿入する取付孔がそれぞれ対応して設けられていることを特徴とする請求項１に記載の車両用インストルメントパネルへの機器の取付構造。
【請求項３】
前記インストルメントパネルの側面部の前端部には、車両幅方向内側へ延び、かつ車体側に固定する前面部が設けられ、これら側面部および前面部の上辺には上面部が連続して設けられていることを特徴とする請求項１または２に記載の車両用インストルメントパネルへの機器の取付構造。
【請求項４】
前記インストルメントパネルの側面部には、ボックス形状に形成した取付面部が設けられていることを特徴とする請求項１〜３のいずれかに記載の車両用インストルメントパネルへの機器の取付構造。
【発明の詳細な説明】
【技術分野】
【０００１】
本発明は、車両のインストルメントパネルに取付けられる機器の取付構造に関するものである。
【背景技術】
【０００２】
従来から、車両用インストルメントパネルの中央部には、オーディオやラジオ等の各種機器が配設されている。そのため、機器の側面部には、複数の取付片を有するブラケットが設けられている（例えば、特許文献１参照）。
このような機器をインストルメンパネルに取付けるには、まず、当該機器を車室内側からインストルメンパネルの中央開口部に挿入して配置する。次いで、取付ブラケットの車室内側に位置する正面の取付片をスクリュにて締付けることにより、当該機器はインストルメンパネルに固定されることになる。
【特許文献１】特開平６−１８３２８７号公報
【発明の開示】
【発明が解決しようとする課題】
【０００３】
しかしながら、上述した従来の取付構造では、インストルメントパネルの中央部に機器を取付けた後に、スクリュが車室内側に露出することになるので、乗員からスクリュを見えないようにすべく、別部品のカバー部材を取付けて覆い隠す必要があった。
ところが、このような別部品を用いると、部品点数のみならず取付工数も余計に掛かってしまうので、コスト高を招くおそれがあった。
【０００４】
本発明はこのような実状に鑑みてなされたものであって、その目的は、締付用のスクリュなどが乗員から見えず、一体部品として組付けることができ、外観品質および作業効率の向上を図ることが可能な車両用インストルメントパネルへの機器の取付構造を提供することにある。
【課題を解決するための手段】
【０００５】
上記従来技術の有する課題を解決するために、本発明は、機器を固定する断面略Ｕ字形状のブラケットと、該ブラケットの車両後方側に配置されるガーニッシュとを備え、前記ブラケットの縦壁面の車両後方端部に車両幅方向へ延びる取付壁面を設け、該取付壁面に挿通孔を設けると共に、前記ガーニッシュの車両前方側にボス部を設け、前記取付壁面の挿通孔および前記ボス部に締付部材を挿入して前記ブラケットと前記ガーニッシュとを組付けることにより一体部品の機器部材として構成する一方、インストルメントパネルの開口部の車両幅方向両側部に車両前方へ延びる側面部を設け、前記インストルメントパネルの開口部に前記機器部材を挿入配置し、車両幅方向から前記ブラケットの縦壁面の前端部を前記側面部の前端部に締付けて固定することにより、前記機器部材を前記インストルメントパネルに取付けている。
【０００６】
また、本発明において、前記インストルメントパネルの側面部の前端部および前記ブラケットの縦壁面の前端部には、締付部材を挿入する取付孔がそれぞれ対応して設けられている。
【０００７】
さらに、本発明において、前記インストルメントパネルの側面部の前端部には、車両幅方向内側へ延び、かつ車体側に固定する前面部が設けられ、これら側面部および前面部の上辺には上面部が連続して設けられている。
【０００８】
そして、本発明において、前記インストルメントパネルの側面部には、ボックス形状に形成した取付面部が設けられている。
【発明の効果】
【０００９】
上述の如く、本発明に係る車両用インストルメントパネルへの機器の取付構造は、機器を固定する断面略Ｕ字形状のブラケットと、該ブラケットの車両後方側に配置されるガーニッシュとを備え、前記ブラケットの縦壁面の車両後方端部に車両幅方向へ延びる取付壁面を設け、該取付壁面に挿通孔を設けると共に、前記ガーニッシュの車両前方側にボス部を設け、前記取付壁面の挿通孔および前記ボス部に締付部材を挿入して前記ブラケットと前記ガーニッシュとを組付けることにより一体部品の機器部材として構成する一方、インストルメントパネルの開口部の車両幅方向両側部に車両前方へ延びる側面部を設け、前記インストルメントパネルの開口部に前記機器部材を挿入配置し、車両幅方向から前記ブラケットの縦壁面の前端部を前記側面部の前端部に締付けて固定することにより、前記機器部材を前記インストルメントパネルに取付けているので、締付部材のスクリュなどが乗員から見えず、一体部品として組付けることができ、外観品質および作業効率を向上させることができる。
【００１０】
また、本発明において、前記インストルメントパネルの側面部の前端部および前記ブラケットの縦壁面の前端部には、締付部材を挿入する取付孔がそれぞれ対応して設けられているので、インストルメントパネルを車体側に取付ける前に、インストルメントパネルの裏側から締付けることが可能となり、締付部材が乗員から見えるということはない。
【００１１】
さらに、本発明において、前記インストルメントパネルの側面部の前端部には、車両幅方向内側へ延び、かつ車体側に固定する前面部が設けられ、これら側面部および前面部の上辺には上面部が連続して設けられているので、機器部材の取付部分の剛性向上を図ることができる。
【００１２】
そして、本発明において、前記インストルメントパネルの側面部には、ボックス形状に形成した取付面部が設けられているので、上記発明と同様、機器部材の取付部分の剛性向上を図ることができる。
【発明を実施するための最良の形態】
【００１３】
以下、本発明を図示の実施の形態に基づいて詳細に説明する。
【００１４】
図１〜図４は本発明に係る車両用インストルメントパネルへの機器の取付構造の実施の形態を示している。本実施形態の機器の取付構造が適用されるインストルメントパネル１は、図１および図２に示す如く、ステアリングサポートメンバ２を介して車室内の車体前部および側部に取付けられる合成樹脂製の一体成形品であり、車室内の車両幅方向のほぼ全幅にわたる長さで、図示しないオーディオやラジオ等の機器を組込める形状に形成されている。
【００１５】
このため、インストルメントパネル１の車両幅方向の中央部に位置する縦壁面１ａには、図示しない機器を挿入配置して取付けるための開口部３が設けられており、この開口部３の車両幅方向左右両側部には、図１、図３および図４に示す如く、車両前方へ向かって延びる側面部４が車両前後方向に沿ってそれぞれ設けられている。これら側面部４の前端部４ａには、車両幅方向内側へ向かって延び、かつ車体側のステアリングサポートメンバ２に固定する前面部５が設けられており、該前面部５の上部または下部（本実施形態では上部）には、スクリュ６を挿入するスクリュ孔７が設けられている。
また、インストルメントパネル１の側面部４であって、前面部５の下部または上部（本実施形態では下部）には、当該側面部４から互いに対向面へ向かって内側に突出し、当該側面部４と略平行な取付面部８がそれぞれ設けられている。これら取付面部８は、剛性を高めるためにボックス形状に形成されており、その前端部には、車両幅方向から締付部材のボルト９を挿入させる取付孔１０が設けられている。そして、側面部４および前面部５の上辺には、上面部１１が連続して設けられている。
【００１６】
ステアリングサポートメンバ２の左右両端部には、図２に示す如く、車体（サイドボディ）への固定に用いられるサイドブラケット１２が設けられていると共に、車両幅方向の中央部には、下方かつ車両後方へ向かって延びる左右一対の中央部ブラケット１３が配設されている。これら中央部ブラケット１３の下端部には、挿入孔１４が前面部５のスクリュ孔７と対応して穿設されている。
【００１７】
一方、図示しないオーディオやラジオ等の機器は、図３に示すような一体部品の機器部材１５を用いて、インストルメントパネル１の車両幅方向の中央部に取付けられるようになっている。そのため、機器部材１５は、当該機器を固定する断面略Ｕ字形状のブラケット１６と、該ブラケット１６の車両後方側に配置され、意匠面になるガーニッシュ１７とを備えている。
ブラケット１６の左右両側に位置する縦壁面１６ａの車両後方端部には、これを外側にほほ直角に折り曲げて車両幅方向へ延びる取付壁面１８がそれぞれ設けられている。これら取付壁面１８の上下部には、スクリュ１９を挿通させる挿通孔２０がそれぞれ穿設されていると共に、挿通孔２０の上下間には、後述の位置決めピンを差込む上下一対の差込孔２１が穿設されている。そして、ブラケット１６の縦壁面１６ａの前端部付近には、ハット形状の部材を用いて形成した取付部２２が設けられており、該取付部２２には、取付孔２３および溶接ナット２４がインストルメントパネル１の取付面部８の取付孔１０と対応して設けられている。
【００１８】
また、ガーニッシュ１７は、図示しない機器の車室内側面やブラケット１６などを覆う部材であり、車両前方側の幅方向両側部の裏面には、スクリュ１９を螺入させるネジ穴を有する上下一対のボス部２５が取付壁面１８の挿通孔２０と対応してそれぞれ突設されている。また、ボス部２５の上下間には、上下一対の位置決めピン２６が取付壁面１８の差込孔２１と対応してそれぞれ突設されている。
【００１９】
本発明の実施形態の取付構造によって機器（図示せず）および機器部材１５をインストルメントパネル１の車両幅方向の中央部に取付けるには、図３に示すガーニッシュ１７の位置決めピン２６をブラケット１６の取付壁面１８の差込孔２１に差込んで位置決めし、この状態でスクリュ１９を取付壁面１８の挿通孔２０およびボス部２５のネジ穴に螺入させて締付けることにより、ブラケット１６とガーニッシュ１７とを組付けて一体化し、機器部材１５として構成する。
次いで、この機器部材１５をインストルメントパネル１の開口部３に挿入配置し、車両幅方向からボルト９を取付面部８の取付孔１０および取付部２２の取付孔２３に挿入し、溶接ナット２４に螺合させて締付けることにより固定すれば、機器部材１５はインストルメントパネル１に取付けられる。しかる後、インストルメントパネル１をステアリングサポートメンバ２の中央部ブラケット１３等にスクリュ６などで締付ければ、インストルメントパネル１は車体側に取付けられることになる。すなわち、機器部材１５をインストルメントパネル１に取付ける作業は、インストルメントパネル１を車体側に取付ける作業よりも前で、インストルメントパネル１の裏側（車室内側と反対側にあって、車両搭載時点で乗員から見えない位置）から行われるので、作業の困難性は生じない。なお、図示しない機器は、これをブラケット１６の所定位置に載置し、孔２７より図外のスクリュなどを挿入して締付けることにより固定すれば、機器部材１５に取付けられることになる。
【００２０】
以上、本発明の実施の形態につき述べたが、本発明は既述の実施の形態に限定されるものではなく、本発明の技術的思想に基づいて各種の変形および変更が可能である。
【図面の簡単な説明】
【００２１】
【図１】本発明の実施の形態に係る車両用インストルメントパネルへの機器の取付構造が適用されるインストルメントパネルの全体を示す斜視図である。
【図２】図１における車両用インストルメントパネルを取付ける車体側のステアリングサポートメンバを示す斜視図である。
【図３】本発明の実施の形態に係るインストルメントパネルの開口部に機器部材が取付けられる前の状態を示す斜視図である。
【図４】図１における車両用インストルメントパネルを示す断面図である。
【符号の説明】
【００２２】
１  インストルメントパネル
２  ステアリングサポートメンバ
３  開口部
４  側面部
４ａ  側面部の前端部
５  前面部
６  スクリュ
７  スクリュ孔
８  取付面部
９  ボルト（締付部材）
１０  取付孔
１１  上面部
１５  機器部材
１６  ブラケット
１６ａ  縦壁面
１７  ガーニッシュ
１８  取付壁面
１９  スクリュ（締付部材）
２０  挿通孔
２２  取付部
２３  取付孔
２４  溶接ナット
２５  ボス部
【図１】
2006117175.tif 000003
【図２】
2006117175.tif 000004
【図３】
2006117175.tif 000005
【図４】
2006117175.tif 000006